(57)【要約】【課題】  誘導壁を設けることなく逸脱を防止する自動運転車両の逸脱防止システムを提供すること。【解決手段】  通信手段やセンサなどを用いて設定された所定の走行コースを確認しながら自動で走行することができる自動運転車両１であって、フェイル時にその自動運転車両を走行コースから外れないように緊急停車させるためのものであって、路面５０には走行コースに沿って逸脱防止レール３が敷設され、自動運転車両１には、フロントタイヤ６の間に逸脱防止レール３を転動する溝付車輪１１と、その溝付車輪１１と車体８との間に設けられた空気バネ１３とを有する車体側装置２が設けられ、緊急停止時には空気バネ１３にエアが供給され車体８を持ち上げてフロントタイヤ６を浮かせ、逸脱防止レール３の溝付車輪１１とリヤタイヤ６とによって走行するようにした自動運転車両の逸脱防止システム。【選択図】        図７
2006182045.tif 000002
【特許請求の範囲】
【請求項１】
通信手段やセンサなどを用いて設定された所定の走行コースを確認しながら自動で走行することができる自動運転車両であって、フェイル時にその自動運転車両を走行コースから外れないように緊急停車させるための自動運転車両の逸脱防止システムにおいて、
路面には走行コースに沿って逸脱防止レールが敷設され、
自動運転車両には、フロントタイヤの間に逸脱防止レールを転動する溝付車輪と、その溝付車輪と車体との間に設けられた空気バネとを有する車体側装置が設けられ、
緊急停止時には前記空気バネにエアが供給され車体を持ち上げてフロントタイヤを浮かせ、逸脱防止レールの溝付車輪とリヤタイヤとによって走行するようにしたものであることを特徴とする自動運転車両の逸脱防止システム。
【請求項２】
請求項１に記載する自動運転車両の逸脱防止システムにおいて、
前記逸脱防止レールは、走行コースに沿って路面に形成された凹溝内に埋設され、その頂部が路面とほぼ同じ高さになるものであることを特徴とする自動運転車両の逸脱防止システム。
【請求項３】
請求項１又は請求項２に記載する自動運転車両の逸脱防止システムにおいて、
前記自動運転車両は前後の区別なく走行が可能なものであり、車体の両側のタイヤの間に前記車両側装置が設けられたものであることを特徴とする自動運転車両の逸脱防止システム。
【請求項４】
請求項１乃至請求項３のいずれかに記載する自動運転車両の逸脱防止システムにおいて、
前記車体側装置は、上下一体に設けられた溝付車輪と空気バネとが、左右一対のエアシリンダによって車体に連結され、そのエアシリンダの伸縮によって溝付き車輪や空気バネが車体に対して左右方向に移動するように構成されたものであることを特徴とする自動運転車両の逸脱防止システム。
【請求項５】
請求項１乃至請求項４のいずれかに記載する自動運転車両の逸脱防止システムにおいて、
前記溝付車輪は車輪カバーに軸支され、前記空気バネは、エアの供給によって突き出されるように形成されたロッドに車輪カバーが旋回軸受けを介して連結され、
車輪カバーには、アクスルにボールジョイントを介して連結された支持ブラケットが固定され、空気バネ本体には、その頂部に車体を転動するローラもしくは摺動部が設けられていることを特徴とする自動運転車両の逸脱防止システム。
【発明の詳細な説明】
【技術分野】
【０００１】
本発明は、磁気マーカに従って自動運転が可能な磁器誘導式の車両など、自動運転車両に関する逸脱防止システムに関し、特に、一般道において自動車や歩行者の障害とならないように自動運転車両の走行を可能にする自動運転車両の逸脱防止システムに関する。
【背景技術】
【０００２】
従来から、車両の走行を制御による自動運転を目的として、走行路には磁気マーカを埋設して走行目標ラインを設定し、一方の車両には、その磁気マーカを検出する磁気センサを備えて、走行目標ラインから逸脱しないように所定のコースを走行する自動運転車両が提案されている。無人自動運転を前提とした無軌道系交通機関として、例えば無軌条電車のトロリーバスや磁気誘導式鉄道（ＩＭＴＳ）などがある。
【特許文献１】特開平１０−１０５８９４号公報（第２−３頁、図１）
【発明の開示】
【発明が解決しようとする課題】
【０００３】
ところで、従来の無軌道系交通機関で自動運転を行う場合には、自動運転装置の故障などによって車両が走行目標ラインから逸脱してしまう危険を回避するため、走行路の両側には高さ２００ｍｍ程度の誘導壁を設ける必要があった。
しかし、こうした誘導壁は一般車両や歩行者が利用する平面な一般道に設けることができない。そのため、自動運転車両が走行するための走行路は、高架線にするなど専用線としなければならず、その建設費用が莫大なものになってしまう。従って、自動運転車両が一般道においても誘導壁を設けることなく安全に走行できるようにすることが求められている。
【０００４】
そこで、本発明は、かかる課題を解決すべく、誘導壁を設けることなく逸脱を防止する自動運転車両の逸脱防止システムを提供することを目的とする。
【課題を解決するための手段】
【０００５】
本発明に係る自動運転車両の逸脱防止システムは、通信手段やセンサなどを用いて設定された所定の走行コースを確認しながら自動で走行することができる自動運転車両であって、フェイル時にその自動運転車両を走行コースから外れないように緊急停車させるためのものであって、路面には走行コースに沿って逸脱防止レールが敷設され、自動運転車両には、フロントタイヤの間に逸脱防止レールを転動する溝付車輪と、その溝付車輪と車体との間に設けられた空気バネとを有する車体側装置が設けられ、緊急停止時には前記空気バネにエアが供給され車体を持ち上げてフロントタイヤを浮かせ、逸脱防止レールの溝付車輪とリヤタイヤとによって走行するようにしたものであることを特徴とする。
【０００６】
また、本発明に係る自動運転車両の逸脱防止システムは、前記逸脱防止レールが、走行コースに沿って路面に形成された凹溝内に埋設され、その頂部が路面とほぼ同じ高さになるものであることが好ましい。
また、本発明に係る自動運転車両の逸脱防止システムは、前記自動運転車両は前後の区別なく走行が可能なものであり、車体の両側のタイヤの間に前記車両側装置が設けられたものであることが好ましい。
【０００７】
また、本発明に係る自動運転車両の逸脱防止システムは、前記車体側装置が、上下一体に設けられた溝付車輪と空気バネとが、左右一対のエアシリンダによって車体に連結され、そのエアシリンダの伸縮によって溝付き車輪や空気バネが車体に対して左右方向に移動するように構成されたものであることが好ましい。
また、本発明に係る自動運転車両の逸脱防止システムは、前記溝付車輪は車輪カバーに軸支され、前記空気バネは、エアの供給によって突き出されるように形成されたロッドに車輪カバーが旋回軸受けを介して連結され、車輪カバーには、アクスルにボールジョイントを介して連結された支持ブラケットが固定され、空気バネ本体には、その頂部に車体を転動するローラもしくは摺動部が設けられていることが好ましい。
【発明の効果】
【０００８】
自動運転車両は、設定された走行コースを無人走行するものであり、例えば途中の決められた停留所で止まって乗客の乗り降りが行われるようにした新交通システムなどに利用される。そうした中、自動運転車両が何らかの原因によって異常が発生し、制御が不能になってしまうような場合には、安全確保のために緊急停車するようにしている。本発明に係る自動運転車両の逸脱防止システムは、そうした制御が不能になった場合にでも走行コースから外れることがないようにしたものである。
【０００９】
通常運転時、車体側装置の溝付車輪は、ほぼ無負荷状態で逸脱防止レールを単に転動するのみで、自動運転車両の操舵はタイヤの操作によって行われる。しかし、異常発生によって制御が不能になったような場合には、空気バネに対して緊急にエアが供給され車体が持ち上げられてフロントタイヤが浮き、逸脱防止レールの溝付車輪とリヤタイヤとによって走行する。従って、緊急停止時の自動運転車両は、車体をフロント側で支える溝付車輪が逸脱防止レールにそって転動することによって進路がとられ、走行コースから外れることが防止される。
【００１０】
本発明に係る自動運転車両の逸脱防止システムによれば、緊急停止時には溝付車輪が逸脱防止レールを転動することによって、コースから逸脱しないように安全な進路を確保するように構成されているので、特別に逸脱防止のための誘導壁を両サイドに設ける必要がなくなった。そのため、誘導壁が必要な従来の自動運転車両の走行には高架線とするなど専用レーンの建設に多大な建設費用がかかっていたが、本発明では逸脱防止レールの敷設をするだけでよく、建設時のイニシャルコストを大幅に削減することができる。
【００１１】
そして、路面に形成された凹溝内に逸脱防止レールを埋設するようにすれば、路面から突き出ることがないため一般車などが横切ることが可能な構造になって、一般車や歩行者が利用する道路上での自動運転が可能になる。
また、自動運転車両側に設けられた車両側装置も溝付車輪、空気バネ更にはエアシリンダなどのからなる安価で簡単な構成からなるものである。
更に、車両側装置にエアシリンダを設けたことで、その伸縮により車体を強制的に左右に移動させることができるので、プラットホームに接近させることによって乗り降りがしやすくなる。
【発明を実施するための最良の形態】
【００１２】
次に、本発明に係る自動運転車両の逸脱防止システムについて、その一実施形態を図面を参照しながら以下に説明する。図１は、自動運転車両及び、その自動運転車両の逸脱防止システムを概念的に示した図である。
自動運転車両１が走行するコース路には、例えば路面に磁気マーカが設置されており、自動運転車両１は、この磁気マーカを基準にした横方向位置を検出し、その検出情報に基づいて操舵および速度制御が行われ、コース路に従った無人による走行が可能になっている。
【００１３】
自動運転車両１に設けられた制御装置には、例えば、自動運転用ＥＣＵ、操舵用ＥＣＵ、アクセル用ＥＣＵ及び制動用ＥＣＵが設けられ、各種センサから送信されてくる検知信号に基づいて演算処理が行われる。自動運転車両１に設けられた車速センサからは、車速に対応した車速信号が、舵角センサからは操舵角に対応した操舵角信号が、そして位置センサからは、道路上の走行コースに沿って設置された磁気マーカを検出した位置信号が出力され、それぞれ制御装置へと送信されるようになっている。
【００１４】
また、制御装置のメモリには、自動運転車両１が走行するコースに関する情報などが格納されている。コースに関する情報とは、例えば、コース内の各位置での操舵角度や目標車速、その他、停留所などの位置などである。本実施形態の自動運転車両１は、例えば、こうした予め格納された情報と各センサから送信されてくる情報とに基づき、決められたコースを所定の速度で走行し、また停留所で停止して人の輸送ができるように構成されたものである。
【００１５】
自動運転車両１は、各センサからの検出信号及びメモリユニットからの情報に基づいて、所定のコースを予め定めた走行パターンに従って走行し、操舵用ＥＣＵ、アクセル用ＥＣＵ及び制動用ＥＣＵに対する制御信号が生成される。そこで、たとえば操舵用ＥＣＵでは、制御信号に基づいてステアリング機構に設けられた操舵アクチュエータが制御され、アクセル用ＥＣＵでは、制御信号に基づいてエンジンのスロットルバルブを駆動するアクセルアクチュエータの制御が行われるなどする。
【００１６】
そして、こうした自動運転車両１には、前後の車輪部分に逸脱防止システムを構成する車両側装置２が設けられている。本実施形態の逸脱防止システムは、地上側設備として走行コースに沿って逸脱防止用レール３が敷設され、車両側装置２に設けられた車輪１１がその逸脱防止用レール３を常に転動することで、非常時でも自動運転車両１がコースから外れることがないように安全な進路が確保できるように構成されている。
【００１７】
この自動運転車両１には前後の区別が無く、図面左側を前にした走行と、図面右側を前にした走行とが可能になっている。従って、自動運転車両１には、前後両方向の走行に適応できるように同じように構成された車両側装置２が車体８の両側に設けられている。なお、ここでは図面左側を進行方向として走行する場合について説明する。そして、本実施形態のように前後の区別無く走行が可能な場合には、車体８の前後両側において車体側装置２を設ける必要があるが、前後の区別がある場合にはフロント側だけに車体側装置２を設けるようにすればよい。ここで、図２乃至図４は、自動運転車両の逸脱防止手段を概念的に示した側面図、正面図そして平面図である。
【００１８】
自動運転車両１が走行するコースには、磁気マーカの他に逸脱防止用レール３が敷設されている。逸脱防止レール３は、例えば鉄道に利用されているＪＩＳ規格品の製鉄レールがそのまま利用される。ここで、図５は、逸脱防止レール３を示した拡大断面図である。路面５０には自動運転車両１の走行コースに沿って凹溝４が形成され、その中に逸脱防止用レール３が納められている。逸脱防止用レール３は、凹溝４の底部に埋設され、その頂部３ａは路面５０とほぼ同じ高さになるよう設置されている。そして、凹溝４の側壁から路面５０にかけて断面Ｌ字形の側保護ガイド５が左右に設けられている。
【００１９】
凹溝４は、逸脱防止レール３と側保護ガイド５による側面との間が左右ほぼ均等に形成され、その両側に隙間に車輪１１が入るような幅及び深さで形成されている。すなわち、車両側装置２は、こうした逸脱防止レール３上を車輪１１が転動するようになっているが、特に本実施形態では、緊急停止時に自動運転車両１の進路が左右へ振れて走行コースから逸脱しないように、左右方向の移動を拘束するためレール３に対して両側から当たるよう中央に溝が形成された溝付車輪（以下、溝付車輪１１とする）が使用されている。
【００２０】
ところで、逸脱防止システムの地上側設備として設けられた逸脱防止レール３の左右両側には隙間ができている。例えば、逸脱防止レール３は横幅が約６３ｍｍであり、この逸脱防止レール３を入れる凹溝４の横幅が１５０ｍｍである。従って、路面５０にできた逸脱防止レール３の左右両側の隙間は、４３．５ｍｍ程度ずつの狭い隙間になっているので、この逸脱防止レール３を横切る際でも、人の足や車輪がはまり込まないようになっている。
【００２１】
次に、自動運転車両１に設けられた車両側装置２は、車体８の左右横方向のほぼ中央であって、前後に配置されたタイヤ６，６よりも進行方向対して若干前方に溝付車輪１１が位置するように設置されている。
その車両側装置２は、溝付車輪１１が車輪カバー１２に対して回転自在に軸支され、その車輪カバー１２は、空気バネ１３から下方に突設されたロッド１４に対し旋回軸受１５を介して連結されている。空気バネ１３は、ロッド１４に対してベロフラムが連結されて伸縮可能な加圧室が形成され、車体８に備え付けられた不図示のエアタンクから弁の切り換えによって圧縮エアが供給され、ロッド１４が相対的に下方へ突き出すように構成されている。
【００２２】
こうして溝付車輪１１、車輪カバー１２及び空気バネ１３は一体に設けられ、自動運転車両１の車体前後に設けられた設置スペース１０内に設置されている。そして、溝付車輪１１などは、車体左右方向にスライド可能に設けられている。そこで、先ず車輪カバー１２は、フロントアクスル７に対してボールジョイントを介して連結された支持ブラケット１６が一体に形成されている。従って、溝付車輪１１や空気バネ１３は、このフロントアクスル７とのジョイント部分を支点に、車体左右方向に揺動するように構成されている。そして、溝付車輪１１などのスムーズな揺動ができるように、設置スペース１０を構成するシャーシ天井にはプレート１７が取り付けられ、空気バネ１３に設けられたローラ１８がそのプレート１７を転がるように構成されている。
【００２３】
更に、車体８の設置スペース１０内には、溝付車輪１１と一体のロッド１４に対して左右対称にエアシリンダ１９，２０が連結されている。エアシリンダ１９，２０は、そのピストンロッドがロッド１４に、シリンダチューブのシリンダヘッド側がシャーシ側面にそれぞれボールジョイントなどで連結されている。エアシリンダ１９，２０も車体８に備え付けられた不図示のエアタンクから弁の切り換えによって圧縮エアが給排気できるように配管され、伸縮にともなって自由に振れるように構成されている。
【００２４】
次に、こうした車両側装置２を備えた自動運転車両１の無人走行について説明する。
自動運転車両１は、車速センサ、舵角センサそして位置センサなどによって、車速、操舵角及び道路上の走行コースに沿って設置された磁気マーカの位置などの各検知信号が制御装置へと送られ、メモリに格納されているコース情報に従って走行する走行制御が行われる。通常は、路面５０に接地した４輪のタイヤ６による操舵角が制御され磁気マーカに従ってコースに沿った進路がとられる。
【００２５】
通常走行時、逸脱防止手段を構成する車体側装置２の溝付車輪１１は、空気バネ１３のロッド１４が収縮した状態にあって、溝付車輪１１は、逸脱防止レール３を押さえ付けるような大きな荷重は作用している。そのため、コースに沿って設けられた逸脱防止レール３は、自動運転車両１の走行につられて転動するのみで、それ自体が進路の案内をするわけではない。
【００２６】
そして、曲線部分を通過するような場合には、フロントタイヤ６，６のほぼ中央に逸脱防止レール３が位置するように走行するため、前後にずれた溝付車輪１１は、車体８の左右方向に振れることになる。このとき溝付車輪１１と一体の車輪カバー１２及び空気バネ１３は、支持ブラケット１６によってフロントアクスル７との連結部分に設けられたボールベアリングを支点として左右に揺動する。また、空気バネ１３は、頂部に設けられたローラ１８が車体８に取り付けられたプレート１７を転がり、上下方向の姿勢が安定しているため、スムーズに左右に振れることができる。
【００２７】
また、溝付車輪１１や空気バネ１３などは、左右からエアシリンダ１９，２０によって支えられていることからも上下方向の安定した姿勢が保たれている。そのエアシリンダ１９，２０には適度なエア圧がかかるように圧縮エアが込められている。そのため、通常走行時には、このエアシリンダ１９，２０が、溝付車輪１１などを左右から支えるエアスプリングとして機能し、自動運転車両１が曲線部分を通過するようなときは、その曲線に従うように伸縮し、或いは振れることによって溝付車輪１１が車体８に対して左右に位置を変化させる。そして、直線走行部分では溝付車輪１１がエアシリンダ１９，２０によって車体８の中央位置に復帰される。
【００２８】
この自動運転車両１は、路線バスのように一般道において決められた所定コースを走行し、停留所において停車するようにプログラムされている。自動運転車両１は、バスとほぼ同様に、乗り降りするステップ部分が路面５０から２００ｍｍほどの高さにある。そのため、車椅子を利用した人や、お年寄りの人などが楽に乗り降りできるように、停留所にステップの高さに合わせたプラットホームを設けたバリアフリーとなっている。そうした場合、プラットホームと自動運転車両１の昇降口との距離が離れてしまったのでは、自動運転車両１のフロアーとプラットホームの同じ高さになっても乗り降りに支障が生じる。そこで、本実施形態の自動運転車両１では、停留所では車体８をプラットホームに近づけるようにしている。ここで図６は、プラットホームに沿って停車する自動運転車両１を示した正面図である。
【００２９】
自動運転車両１が通常の走行をしている場合には、エアシリンダ１９，２０は、前述したようにエアスプリングとして溝付車輪１１が車体８の中央位置に復帰するように機能している。しかし、このエアシリンダ１９，２０は、自動運転車両１が停留所に停車する場合には、プラットホーム６０に近づける車体寄せが行われる。それには、自動運転車両１が停留所に入るところで、プラットホーム６０側に位置する前後のエアシリンダ１９又は２０にエア圧が供給される。すると、溝付車輪１１が逸脱防止レール３によって左右方向への移動が拘束されているため、それが支えとなってエアシリンダ１９又は２０が車体８をプラットホーム６０側へ押し出すことになる。
【００３０】
図６に示す場合には、向かって左側のエアシリンダ１９が伸長作動することによって、自動運転車両１の車体８が矢印で示す方向に押され、車体８が左側に寄ってプラットホーム６０に近づく。このとき、溝付車輪１１や空気バネ１３は、車体８の移動によって空気バネ１３の頂部に設けられたローラ１８がプレート１７を転がり、向かって右側にずれた状態になる。
各プラットホーム６０の位置は、逸脱防止レール３からの距離が予めメモリに記憶されているため、停留所に入ってくるときに所定のストロークだけエアシリンダ１９，２０を伸長させることによって乗り降りに支障がない距離にまで近づけることができる。そして、その停留所から再び発進する場合には、伸長作動したエアシリンダ１９又は２０への加圧状態を解除し、エアシリンダ１９，２０を再びエアスプリング状態に戻す。
【００３１】
安定した運転を継続している場合には、溝付車輪１１はエアスプリング１９，２０によって左右両側から多少の荷重を受けているが、上下方向には溝付車輪１１や空気バネ１３などの重さだけで逸脱防止レール３に載せられているだけなので、前述したように自動運転車両１の操舵はタイヤ６によって行われる。
しかし、万一制御装置がフェイルして運転制御が不能な状態に陥った場合には、タイヤ６による正しい操舵運転ができずに走行コースから外れてしまう危険がある。そこで、本実施形態では、フェイル時には危険を回避するため緊急停止を行い、その際、自動運転車両１が走行コースを逸脱することなく安全に停車できるようにしている。
【００３２】
本実施形態の自動運転車両１は、何らかのフェイル状態を検知し、その検知信号が確認されると、エンジンが止められるとともに非常ブレーキがかけられるなどの緊急停止措置がとられる。従って、本実施形態の逸脱防止システムは、こうして非常ブレーキがかけられてから完全に停止するまでの間、自動運転車両１がコースから外れていまわないように逸脱防止を行う。
すなわち、緊急停止信号が入ると、不図示の弁が切り換えられ、車体８に設けられたエアタンクからフロント側に当たる車両側装置２の空気バネ１３に対して圧縮エアが急速に供給される。そのため、車両側装置２では空気バネ１３が瞬間的に最大にまで膨らむ。一方、リヤ側の車両側装置２の空気バネ１３はそのままの状態で何ら操作されない。ここで、図７は、緊急停止状態の自動運転車両及び、その自動運転車両の逸脱防止システムを概念的に示した図である。
【００３３】
圧縮エアが供給された空気バネ１３は、ロッド１４が下に突き出されるように拡張するが、実際には空気バネ１３本体が上昇して車体８が持ち上げられる。このときベロフラムと一体になったロッド１４は、その上端にストッパが形成さているため、一定量伸びて停止する。こうした空気バネ１３によるロッド１４の突き上げにより車体前方が浮き上がり、溝付車輪１１が逸脱防止レール３に強く押し付けられ、フロント側のタイヤ６が路面５０から離れる。従って、緊急停止時には前方の溝付車輪１１と、後方のタイヤ６との３点によって車体８が支えられる。
【００３４】
こうして３輪走行状態の自動運転車両１は、フロント側の溝付車輪１１が逸脱防止レール１１によって左右の移動を拘束された状態で転動するため、止まるまでの移動が逸脱防止レール３によって誘導される。そのため、緊急停止が開始されてから車体８が停止するまでの間、自動運転車両１が走行コースから外れることを防止することができる。
【００３５】
よって、本実施形態の逸脱防止システムでは、緊急停止時には溝付車輪１１が逸脱防止レール３を転動することによって、コースから逸脱しないように安全な進路を確保するように構成されているので、特別に逸脱防止のための誘導壁を両サイドに設ける必要がない。そのため、一般車や歩行者が利用する道路上での自動運転が可能になる。走行コースに沿って敷設した逸脱防止レール３が、路面５０から突き出ることがないため一般車などが横切ることが可能な構造になっているからである。
【００３６】
そして、誘導壁が必要な従来の自動運転車両の走行には高架線とするなど専用レーンの建設に多大な建設費用がかかっていたが、本実施形態では逸脱防止レールの敷設にするだけでよく、建設時のイニシャルコストを大幅に削減することができる。また、自動運転車両１側に設けられた車両側装置２も溝付車輪１１、空気バネ１３及びエアシリンダ１９，２０などのからなる安価で簡単な構成からなるものである。
更に、本実施形態の自動運転車両１では、エアシリンダ１９，２０を伸縮させることによって車体８を強制的に左右に移動させることができるので、プラットホーム６０に接近させることによって乗り降りがしやすくなる。
【００３７】
以上、本発明に係る逸脱防止システムの一実施形態について説明したが、本発明はこれに限定されることなく、その趣旨を逸脱しない範囲で様々な変更が可能である。
例えば、前記実施形態では前後両方向に走行可能な自動運転車両１を示して説明したが、前後の区別がある車両であれば、フロント側だけに車両側装置２を設けるようにしてもよい。
【図面の簡単な説明】
【００３８】
【図１】自動運転車両及び、その自動運転車両の逸脱防止システムを概念的に示した図である。
【図２】自動運転車両の逸脱防止システムを概念的に示した側面図である。
【図３】自動運転車両の逸脱防止システムを概念的に示した正面図である。
【図４】自動運転車両の逸脱防止システムを概念的に示した平面図である。
【図５】逸脱防止レールを示した拡大断面図である。
【図６】プラットホームに沿って停車する自動運転車両を示した正面図である。
【図７】緊急停止状態の自動運転車両及び、その自動運転車両の逸脱防止システムを概念的に示した図である。
【符号の説明】
【００３９】
１    自動運転車両
２    車両側装置
３    逸脱防止レール
４    凹溝
６    タイヤ
８    車体
１１  溝付車輪
１２  車輪カバー
１３  空気バネ
１６  支持ブラケット
１８  ローラ
１９，２０  エアシリンダ
５０  路面
６０  プラットホーム
【図１】
2006182045.tif 000003
【図２】
2006182045.tif 000004
【図３】
2006182045.tif 000005
【図４】
2006182045.tif 000006
【図５】
2006182045.tif 000007
【図６】
2006182045.tif 000008
【図７】
2006182045.tif 000009